(57)【特許請求の範囲】
【請求項１】
重炭酸ナトリウム粉末と水とを導入してこれらを攪拌混合し、未溶解の重炭酸ナトリウム溶液がフィルタ上にある状態でフィルタを介して画室に所要濃度の重炭酸ナトリウム液を得るように構成した溶解槽と、前記溶解槽に連通接続する制御弁を備えた給水手段と、前記溶解槽の画室と連通接続されて未溶解の重炭酸ナトリウム溶液が溶解槽のフィルタ上にある状態のまま、フィルタ下部に存在する重炭酸ナトリウム濃厚液を直接透析液調整部へ送り出すための重炭酸ナトリウム液取出手段と、前記重炭酸ナトリウム液取出手段と連通接続されることにより直接所要濃度の重炭酸ナトリウム液が送られる透析液調整手段とから構成することを特徴とする多人数用重炭酸透析液調整装置。
【請求項２】
透析液調整手段は、重炭酸ナトリウム液取出手段に重炭酸ナトリウム液制御手段と濃度測定手段とを設けると共に、この重炭酸ナトリウム液取出手段を、前記濃度測定手段による濃度測定値に応じて重炭酸ナトリウム液の濃度調整を行う水制御手段を備えた給水手段と結合し、さらに重炭酸ナトリウム液を含まない透析液を供給する手段を結合して透析液を調整し、得られた透析液の所定量を貯槽に貯留するよう構成してなる請求項１記載の多人数用重炭酸透析液調整装置。
【請求項３】
透析液調整手段は、重炭酸ナトリウムを含まない透析液の所定量と、重炭酸ナトリウム液取出手段から供給される重炭酸ナトリウム液および水供給手段から供給される水の所定量とを混合槽に導入して、透析液を調整し、得られた透析液の所定量を貯槽に貯留するよう構成してなる請求項１記載の多人数用重炭酸透析液調整装置。
【請求項４】
溶解槽は、その底部にフィルタを介して所要濃度の重炭酸ナトリウム液を得るための画室を画成し、前記フィルタの上方に攪拌手段を設け、さらにその上方に上限レベル設定器と下限レベル設定器とを設けてなる請求項１記載の多人数用重炭酸透析液調整装置。
【請求項５】
攪拌手段は、スクリュの回転、超音波の発信、ポンプによる液循環を行う手段からなる請求項１記載の多人数用重炭酸透析液調整装置。
【請求項６】
フィルタを介して所要濃度の重炭酸ナトリウム液を得るための画室を画成した溶解槽に対し、前記画室に制御弁を備えた給水手段を連通接続し、さらに前記画室とポンプを介して前記フィルタの上部に配置した攪拌手段としての吐出手段とを連通接続する分岐給水手段を設けてなる請求項１記載の多人数用重炭酸透析液調整装置。
【発明の詳細な説明】
【０００１】
【産業上の利用分野】
この発明は、血液透析に使用する重炭酸透析液を得るための装置であり、重炭酸ナトリウム粉末と水とから透析液を調整するための多人数用重炭酸透析液調整装置に関するものである。
【０００２】
【従来の技術】
今日、透析に用いられる透析液は、重炭酸ナトリウムを含まないもの（以下、Ａ剤という）と、重炭酸ナトリウムを含むもの（以下、Ｂ剤という）の２種類の透析用剤から調整される重炭酸透析液が多用されている。
【０００３】
通常行われている重炭酸透析液の調整は、所定濃度に調整されたＡ剤、Ｂ剤の各液（以下、Ａ液、Ｂ液という）を透析液調整手段に移送し、透析液調整手段でＡ液、Ｂ液、水をそれぞれ所定の比率（通常、Ａ液：Ｂ液：水＝１：１．２６：３２．７４）で混合する方法で行われている。
【０００４】
最近、Ｂ剤として、所定濃度に調整されたＢ液を購入しないで、重炭酸ナトリウムのみを粉末製剤化したＢ粉末（以下、Ｂ末という）を購入し、透析設備において、重炭酸ナトリウム溶解手段（以下、Ｂ末溶解手段という）を使用して、溶解希釈したものをＢ液として使用する場合が多くなってきている。
【０００５】
透析には、多量の透析液が必要であり、多量のＢ液（通常、患者１人当り１回の透析で約５ｌ）が消費される。加えて、多数の患者のために、１回約５時間の透析治療を１日に２回行うことは、通常であり、１日に３回の透析治療を行っている設備もある。
【０００６】
従って、１回に消費されるＢ液を１度に調整するには、非常に大きなタンクを必要とし、またＢ液は安定性に問題があるので、１日に２〜３回、Ｂ末を溶解してＢ液を調整することが行われている。このＢ末溶解手段は、１００〜３００ｌのタンクに所定量の水とＢ末を入れ、攪拌して所定濃度（７Ｗ／Ｖ％の場合が多く、５．８Ｗ／Ｖ％の場合もある）のＢ液を得る方法である。
【０００７】
多人数の患者の透析では、透析毎に透析治療を受ける患者数が同一とは限らず、１回に調整するＢ液の量も変化させる必要がある。従って、前記の溶解方法では、大きなスペースが必要であると共に、溶解毎に水およびＢ末量の計量に神経を使うことになり、煩わしい作業となっている。
【０００８】
Ｂ末溶解手段で、一度に調整するＢ液量が少ない方が、省スペースの面で有利である。このような観点から、透析中、随時自動的にＢ末を溶解し、所定濃度のＢ液を得るものとして、重炭酸ナトリウム連続溶解装置が提案されている（特公平１−５５８９３号公報）。
【０００９】
この連続溶解装置は、粉末フィーダ等の粉末供給手段によりＢ末を、また給水手段により水を、それぞれ希釈タンクに供給し、攪拌後の濃度に応じて粉末供給手段または給水手段を制御して、重炭酸ナトリウムまたは水を分注することにより、所定濃度のＢ液を得るように構成したものである。Ｂ液は希釈タンクから貯蔵タンクに移され、Ｂ液は貯蔵タンクから次工程の透析液調整装置に供給される。これら一連の動作が透析中繰り返される。
【００１０】
しかしながら、これはバッチ方式により溶解、濃度調整を行うため、構造、動作が複雑であり、それと共に希釈タンクで調整されるＢ液量より多い容量の貯蔵タンクが必要である。
【００１１】
近年、大規模な透析設備も増え、占有スペースを小さくした上で、さらに多くのＢ液を供給できるＢ末溶解手段が望まれている。前記提案のバッチ方式では、Ｂ液供給量を多くすればする程、希釈タンクおよび貯蔵タンク等のスケールアップ、溶解および濃度調整に要する時間に制約を受ける。
【００１２】
また、本発明の技術的な背景として、透析中にＢ末を溶解しながら、それにより得られたＢ液濃厚液濃度が変化する場合に対応して、透析液調整時に濃厚液の混合量を調整して、所定濃度の混合液を得るものとして、医療処置用流体を調整するためのシステムと、それに使用するカートリッジが提案されている（特開昭６３−１９４６６６号公報）。
【００１３】
これは、１回の透析に十分な量のＢ末が入ったカートリッジ入口に、水源より水が供給され、供給された水がＢ末と接触することにより溶解し、カートリッジ出口においてほぼ飽和濃度の濃厚液となる。この濃厚液は、カートリッジの下流側に設けられた流量調整手段を介して混合点で水と混合され、この混合点の下流に位置する計測手段により、混合液の溶液濃度を測定し、この濃度測定値に応じて前記流量調整手段を制御し、所定濃度の溶液を得ようとするものである。しかしながら、この種の提案は、１人の患者のために透析液を調整する機能と透析装置の機能を有する単身用透析装置への適用を意図したものである。
【００１４】
【発明が解決しようとする課題】
しかるに、前述した従来の透析液調整装置においては、多数の患者のために透析液を調整するための装置（多人数用透析液調整装置）として適用することは困難である。特に、以下の点に問題がある。
【００１５】
多数の患者の透析では、透析中に治療を受けている患者数が増減することにより、単位時間当りの透析液の消費量は変化する。
【００１６】
これに対応するため、多人数用透析液調整装置では、調整した透析液を一旦貯槽に溜め、貯槽から透析液を透析装置に移送し、貯槽内の透析液が少なくなると、透析液の調整を再開して貯槽に透析液を補充するシステムを採用している。
【００１７】
しかしながら、前記システムにおいては、連続して透析液を調整する機能となっており、しかも多人数用透析液調整装置では、１回の透析で使用するＢ末量は変化する場合が多く、従って１回の透析に十分なＢ末をカートリッジに入れておくものでは、多人数用透析液調整装置への適用は不具合である。
【００１８】
さらに、Ｂ液（濃厚液）は、ＣＯ2 を遊離し易いが、前記の提案されたシステムにおいては、フィルタの下流側で発生したＣＯ2 の脱ガス手段について考慮されていない。しかるに、フィルタの下流側で発生したＣＯ2 は、Ｂ濃厚液と共に流量制御手段を流れることになり、濃度制御に支障を生じる。特に、大きな気泡が前記流量制御手段を流れる場合には、問題が大きい。
【００１９】
そこで、本発明の目的は、溶解槽において重炭酸ナトリウム粉末と水とを供給して所要濃度の重炭酸ナトリウム液Ｂ液）を作成し、この重炭酸ナトリウム液を随時希釈して所定濃度の重炭酸ナトリウム溶液を得ることにより、小型の設備により多量の重炭酸ナトリウム溶液の供給を可能とし、しかも透析中においても溶解槽における重炭酸ナトリウム液の追加作成を簡便に達成することができる多人数用重炭酸透析液調整装置を提供することにある。
【００２０】
【課題を解決するための手段】
本発明に係る多人数用重炭酸透析液調整装置は、重炭酸ナトリウム粉末と水とを導入してこれらを攪拌混合し、未溶解の重炭酸ナトリウム溶液がフィルタ上にある状態でフィルタを介して画室に所要濃度の重炭酸ナトリウム液を得るように構成した溶解槽と、前記溶解槽に連通接続する制御弁を備えた給水手段と、前記溶解槽の画室と連通接続されて未溶解の重炭酸ナトリウム溶液が溶解槽のフィルタ上にある状態のまま、フィルタ下部に存在する重炭酸ナトリウム濃厚液を直接透析液調整部へ送り出すための重炭酸ナトリウム液取出手段と、前記重炭酸ナトリウム液取出手段と連通接続されることにより直接所要濃度の重炭酸ナトリウム液が送られる透析液調整手段とから構成することを特徴とする。
【００２１】
この場合、透析液調整手段は、重炭酸ナトリウム液取出手段に重炭酸ナトリウム液制御手段と濃度測定手段とを設けると共に、この重炭酸ナトリウム液取出手段を、前記濃度測定手段による濃度測定値に応じて重炭酸ナトリウム液の濃度調整を行う水制御手段を備えた給水手段と結合し、さらに重炭酸ナトリウム液を含まない透析液を供給する手段を結合して透析液を調整し、得られた透析液の所定量を貯槽に貯留するように構成することができる。
【００２２】
また、透析液調整手段は、重炭酸ナトリウムを含まない透析液の所定量と、重炭酸ナトリウム液取出手段から供給される重炭酸ナトリウム液および水供給手段から供給される水の所定量とを混合槽に導入して、透析液を調整し、得られた透析液の所定量を貯槽に貯留するように構成することもできる。
【００２３】
一方、溶解槽は、その底部にフィルタを介して所要濃度の重炭酸ナトリウム液を得るための画室を画成し、前記フィルタの上方に攪拌手段を設け、さらにその上方に上限レベル設定器と下限レベル設定器とを設けた構成とすることができる。
【００２４】
また、攪拌手段は、スクリュの回転、超音波の発信、ポンプによる液循環を行う手段により構成することができる。
【００２５】
さらに、フィルタを介して所要濃度の重炭酸ナトリウム液を得るための画室を画成した溶解槽に対し、前記画室に制御弁を備えた給水手段を連通接続し、さらに前記画室とポンプを介して前記フィルタの上部に配置した攪拌手段としての吐出手段とを連通接続する分岐給水手段を設けた構成とすることができる。
【００２６】
【作用】
本発明に係る多人数用重炭酸透析液調整装置によれば、Ｂ末を連続して水に溶解すると共に、それによって得られた重炭酸ナトリウム液（以下、Ｂ液という）を透析液調整手段に供給し、この透析液調整手段で水と希釈して所定濃度の重炭酸ナトリウム溶液を得ると共に重炭酸ナトリウムを含まない透析液（以下、Ａ液という）と混合して、それぞれ所定の混合比率からなる透析液を調整することができる。
【００２７】
また、本発明によれば、随時Ｂ末を溶解槽に追加投入することにより、長時間に亘り多量のＢ末を溶解し、少なくとも１台の透析液調整手段にＢ液を円滑に供給して透析液の調整を円滑に達成することができる。
【００２８】
さらに、透析開始前に、透析中に消費が予想されるＢ液に相当するＢ末を計量する必要はなく、適当量投入することができる上に、透析中においても随時Ｂ末の追加投入が可能である。
【００２９】
従って、本発明によれば、バッチ方式によりＢ末の溶解およびＢ液の調整を繰り返して行う構成としたものと比較して、構造および操作が簡単となり、小型で多量のＢ液の供給が可能となる。
【００３０】
【実施例】
次に、本発明に係る多人数用重炭酸透析液調整装置の実施例につき、添付図面を参照しながら以下詳細に説明する。
【００３１】
実施例１
図１は、本発明装置の一実施例を示す概略系統図である。図１において、参照符号１０は溶解槽を示し、この溶解槽１０に重炭酸ナトリウム（ＮａＨＣＯ3 ）のみを粉末製剤化したＢ末（ＰB ）と水（Ｗ）とを供給する。この場合、Ｂ末（ＰB ）は、開口部１２より適当量を投入する。なお、この開口部には、通常開閉蓋を設ける。また、水（Ｗ）は、ＲＯユニット等の給水源１４と連通する給水ライン１６により、制御弁１８を介して導入し、溶解槽１０の所定レベルまで水位が達した際に上限レベル検出器２０ａによりこの状態を検出して、この上限レベル検出器２０ａの検出動作により前記制御弁１８を閉じて給水を完了する。なお、この場合に使用する水の温度は、１０℃でも十分な攪拌により所要濃度のＢ液を得ることができるが、溶解速度または制御を容易にするためには、従来と同様に２０〜３０℃の水温とするのが好適である。
【００３２】
また、溶解槽１０には攪拌手段２２が設けられており、この攪拌手段２２を動作させることにより、前記溶解槽１０に供給したＢ末の溶解を促進させる。なお、攪拌手段２２としては、スクリュの回転、超音波の発信、ポンプによる液循環等を利用した手段を使用することができる。
【００３３】
しかるに、現在流通している透析用剤ＡＦ−２Ｐ〔扶桑薬品工業（株）製〕のＢ末を電子顕微鏡で観察すると、大きさが１００μｍ以下の粒子であるものも多く含まれている。従って、溶解槽１０内には、これらのＢ末が実用上問題ない程度に通過しないフィルタ２４を適宜選択して設ける。従って、このフィルタ２４は、大きな開口部を有しておらず、フィルタ２４の上部から給水する場合には、前記フィルタ２４により画成された画室２６内の空気は殆ど逃がすことができない。
【００３４】
そこで、前記溶解槽１０の外部に、前記画室２６と所定の水位レベルより上方位置とを連通するよう脱ガス手段２８を設けた排気ライン３０を配設する。この脱ガス手段２８としては、通常電磁制御弁、ポンプ等が使用されるが、ポンプを使用して速やかに画室２６内の空気を逃がすようにすることが好ましい。従って、例えば攪拌手段２２を動作させた後、脱ガス手段２８を動作させることにより、排気ライン３０より空気を逃がすと共に、Ｂ液が画室２６内に流れ込むことになる。
【００３５】
このようにして画室２６内に滞留したＢ液は、Ｂ液取出ライン３２を介して適宜透析液調整手段４０へ送液を行うように構成される。この場合、前記画室２６内におけるＢ濃厚液の取出しに伴い、適宜攪拌手段２２を動作させることにより、フィルタ２４を介してＢ濃厚液が画室２６内へ補給される。
【００３６】
透析液調整手段４０においてＢ液が消費され、溶解槽１０の画室２６に滞留したＢ液が取出されて、溶解槽１０の水位が下限レベル検出器２０ｂの設定レベルまで低下した際には、前記下限レベル検出器２０ｂの作用下に制御弁１８を開いて給水ライン１６より溶解槽１０内へ給水を行う。次いで、溶解槽１０内の水位が上限レベル検出器２０ａの設定レベルまで上昇した際に、前記上限レベル検出器２０ａの作用下に前記制御弁１８を閉じて給水を完了する。
【００３７】
溶解槽１０内にＢ末が十分存在し、攪拌によりＢ末の溶解が促進された状態では、透析液調整手段４０に送液されるＢ液はほぼ飽和濃度の濃厚液となる。しかしながら、透析液調整手段４０へは、ほぼ飽和濃度のＢ液として送液する必要はなく、透析液調整手段４０で正常濃度の透析液を調整するのに支障のない範囲で、薄い濃度のＢ液として送液することができる。
【００３８】
Ｂ液は、ＣＯ2 を遊離し易く、多量のＢ末の溶解、Ｂ濃厚液の消費に伴い、画室２６内にＣＯ2 が溜まり、この結果ＣＯ2 が大きな気泡となって液取出ライン３２に流出し、Ｂ液の調整に支障を来すことになる。そこで、本実施例においては、適宜脱ガス手段２８を作動し、画室２６内のＣＯ2 を溶解槽１０の外部へ逃がし、Ｂ液取出ライン３２に多量のＣＯ2 が流出しないように構成される。
【００３９】
また、Ｂ液の消費に伴い、溶解槽１０内のＢ末は減少するが、随時溶解槽１０にＢ末を追加投入することにより、連続して長時間に亘り多量のＢ液の調整およびその供給を行うことができる。なお、溶解槽１０へのＢ末投入は、その他粉体フィーダ等で行うことも可能であるが、簡便には人手によりＢ末投入作業を行うようにしてもよい。
【００４０】
すなわち、本実施例においては、溶解槽１０に投入するＢ末は、特に計量して投入する必要はない上に、透析中においても追加投入することができるので、Ｂ末の投入作業は煩わしい作業ではなく、人手によりこの作業を行うのに支障はない。
【００４１】
前述したように、透析液調整手段４０には、Ｂ液取出ライン３２を介してＢ液が送液されるが、さらに給水源１４と連通する給水ライン３４を介して水が送液されるよう構成されている。そして、透析液調整手段４０においては、多人数の患者のために透析液を調整する。なお、この透析液調整手段４０の構成については後述する。
【００４２】
実施例２
図２は、本発明装置の別の実施例を示す概略系統図である。なお、図２において、説明の便宜上、前記図１に示す実施例と同一の構成部分については同一の参照符号を付し、詳細な説明は省略する。
【００４３】
すなわち、図２に示す実施例においては、溶解槽１０への給水はフィルタ２４により画成された底部の画室２６に、制御弁１８を介して連通接続した給水ライン１６により行うよう構成する。この場合、前記前記画室２６に分岐給水ライン３６を連通接続し、この分岐給水ライン３６の先端を２つに分岐して、その一方の分岐流路３８ａを画室２６の上部（例えば、フィルタ２４の近く）に位置させると共に、他方の分岐流路３８ｂを画室２６の下部（例えば、底部）に位置させる。さらに、溶解槽１０には、上限レベル検出器２０ａおよび下限レベル検出器２０ｂが設けられ、その設定レベルまで前記給水ライン１６により給水が行われる。
【００４４】
また、前記分岐給水ライン３６は、送液ポンプ４２を接続配置して吐出ライン４４を形成し、この吐出ライン４４を溶解槽１０のフィルタ２４の上側に投入されたＢ末（ＰB ）の中に埋設された吐出手段４６と連通するように接続配置する。
【００４５】
なお、本実施例においては、溶解槽１０内のＢ末（ＰB ）の溶解は、吐出ライン４４に設けたポンプ４２を駆動することにより、分岐給水ライン３６の分岐流路３８ａ、３８ｂから画室２６内の液を吸込み、この液を吐出ライン４４を介して吐出手段４６から吐出することにより、促進される。
【００４６】
しかるに、前記吐出手段９０の具体的な構成を示せば、図５に示す通りである。図５において、吐出手段４６は、吐出ライン４４の先端部を形成する吐出管４８をフィルタ２４の中心部を支持しながら挿通配置し、この挿通先端部の外周に集液室５０を形成するようにしてロータ５２を回転自在に装着する。また、前記ロータ５２の外周部には、前記吐出管４８を中心として放射方向延在する噴射パイプ５４、５４をそれぞれ対称的に接続配置する。なお、参照符号５１は吐出管４８に設けた前記集液室５０と連通するための通孔を示し、５３は前記ロータ５２の脱落を防止するためのストッパを示し、そして５５は前記噴射パイプ５４に設けた噴射孔を示すものである。
【００４７】
このように構成された吐出手段４６は、ポンプ４２の駆動により昇圧された液が、吐出管４８に設けた通孔５１よりロータ５２の集液室５０に流入し、さらに噴出バイプ５４の噴出孔５５より溶解槽１０内のＢ末（ＰB ）に向けて、液が噴出されることにより、Ｂ末の溶解が促進される。
【００４８】
なお、この場合、溶解槽１０内のＢ末量が少なくなり、液の噴出に対する抵抗が小さくなった時に、噴流の反力によりロータ５２が回転するように、前記噴射孔５５を配置すると共に、フィルタ２４上に残っているＢ末に向けて液が円滑に噴出されるように、前記噴射孔５５を斜め下方に指向して設けることが好ましい。
【００４９】
また、Ｂ末が溶解して得られたＢ液は、フィルタ２４を透過して画室２６に流入する。この結果、ポンプ４２の駆動により、前記Ｂ液が溶解槽１０内に循環されることになり、運転開始時の画室２６の水は、Ｂ液に置換されることになる。
【００５０】
このようにして得られたＢ液は、前記実施例と同様に、Ｂ液取出ライン３２を介して適宜透析液調整手段４０へ送液される。
【００５１】
また、Ｂ液の消費に伴い、溶解槽１０内の液位が下限レベル検出器２０ｂの設定レベルまでに低下すると、制御弁１８を開いて、給水ライン１６より給水を開始し、溶解槽１０内の液位が上限レベル検出器２０ａの設定レベルに達した時点で、制御弁１８を閉じて追加給水を停止する。
【００５２】
ポンプ４２の駆動に際して吸込側となる一方の分岐流路３８ａは、Ｂ液取出ライン３２の溶解槽１０への開口部より高い位置で、フィルタ２４の近くに開口しており、また他方の分岐流路３８ｂは、溶解槽１０の底部に接続されている。従って、ポンプ４２の駆動によって、画室２６の上部と下部の両方から液が吸込まれることになり、画室２６で発生したＣＯ2 の殆どは、吐出ライン４４に吸込まれることになり、この結果Ｂ液取出ライン３２には多量のＣＯ2 が流れ込むことはない。
【００５３】
すなわち、ポンプ４２の吸込側となる一方の分岐流路３８ａを、画室２６の上部に開口することによって、図１の実施例において説明した攪拌手段２２および脱ガス手段２８の機能を１台のポンプ４２で兼用することができる。
【００５４】
前述した実施例における溶解槽１０で構成されるＢ末溶解手段によれば、溶解槽１０に投入するＢ末量を特に計量する必要もないので、煩わしい作業とはならず、また透析中に随時Ｂ末を追加投入することが可能であり、また通常Ｂ液は濃厚液として供給できるので、溶解槽１０は小形に構成することができる。
【００５５】
さらに、本実施例においては、バッチ方式でＢ末を溶解する方法ではなく、Ｂ末を溶解し透析中常に溶解槽１０にＢ液が準備され、適宜Ｂ液の供給が可能であるので、複雑な構造や操作を必要としないばかりでなく、溶解槽１０の他にＢ液を貯留しておくための大きな貯槽を必要としないので、小型に構成することができると共に、多量のＢ液の供給が可能である。
【００５６】
次に、前述した実施例１および実施例２における透析液調整手段４０の構成について説明する。
【００５７】
図３および図４は、透析液調整手段４０の概略構成を示す系統図である。なお、これら透析液調整手段４０においては、図示しないが、従来の多人数用透析液調整装置に設けられている機能、例えば加温手段、濃度測定手段、脱気手段、ポンプ等を適宜追加設定し得ることは勿論である。
【００５８】
透析液調整手段（その１）
まず、図３に示す透析液調整手段４０においては、外部から導入されるＢ液取出ライン３２に、定量ポンプ等からなるＢ液制御手段６０と、電導度計等からなるＢ液濃度測定手段６２とが設けられ、前記Ｂ液制御手段６０を駆動することにより、画室２６（図１および図２参照）からＢ液をＢ液取出ライン３２へ導出し、このＢ液の濃度をＢ液濃度測定手段６２により測定する。一方、外部から導入される給水ライン３４には、定量ポンプ等からなる水制御手段６４を設けて、その下流に前記Ｂ液濃度測定手段６２より下流の前記Ｂ液取出ライン３２を接続配置する。
【００５９】
従って、前記給水ライン３４とＢ液取出ライン３２との合流点３５においては、前記Ｂ液濃度測定手段６２により測定されたＢ液の濃度に応じて、逐次前記Ｂ液制御手段６０および必要に応じてを水制御手段６４調整し、Ｂ液取出ライン３２からのＢ液流量および必要に応じて給水ライン３４からの給水流量を調整する。
【００６０】
さらに、前記給水ライン３４の下流において、Ａ液をＡ液制御手段６６を介して送液するＡ液供給ライン６８を接続配置する。従って、前記給水ライン３４とＡ液供給ライン６８との合流点３７においては、水とＢ液の混合液にＡ液を注入して透析液が調整される。
【００６１】
このようにして調整された透析液は、貯槽７０に導入されて貯留される。貯槽７０には、上限レベル検出器７１ａと下限レベル検出器７１ｂとが設けられ、常に所要量の透析液が貯留され、排出流路７２を介して各透析装置へ送液される。この場合、各透析装置に対する透析液の供給流量は、透析治療を受けている患者数の増減により変化する。
【００６２】
貯槽７０は、通常エアフィルタ（図示せず）を介して大気に開放されており、貯槽７０内の液位が下限レベル検出器７１ｂの位置まで低下すると、透析液の調整動作を開始し、上限レベル検出器７１ｂの設定レベルまで液位が上昇すると、透析液の調整動作を停止するように構成される。従って、透析中の透析液の調整は間欠的に行われる。
【００６３】
また、本実施例において、給水ライン３４に設ける水制御手段６４としては、例えば図６に示すように構成したものを使用することができる。この場合、給水源１４（図１および図２参照）からの給水の圧力変化等によって水流量が透析液の調整中に変化することが多い。
【００６４】
しかるに、図６において、水制御手段６４は、シリンダ８０内を往復動作するピストン８２を挿通配置し、このピストン８２およびピストンロッド８４、８４のシリンダ８０との挿通部にそれぞれシール８３および８５、８５を設けて、前記ピストン８２の両側のシリンダ８０内部に、それぞれ液密なポンプ室８６、８８を構成する。そして、これらポンプ室８６、８８と連通する流路９０、９２に対して、それぞれ上流側と下流側に制御弁９１ａ、９３ｂおよび９３ａ、９１ｂを介して給水ライン３４と接続される。
【００６５】
このように構成された水制御手段６４は、まず図６に示す状態において、制御弁９１ａ、９１ｂを開くと、給水の圧力によってピストン６０は右方向に移動すると共に、水は制御弁９１ａを介して流路９０からポンプ室８６に流入し、一方ポンプ室８８内の水は、流路９２から制御弁９１ｂを経て、給水ライン３４の下流側へ送液される。次いで、制御弁９１ａ、９１ｂを閉じ、制御弁９３ａ、９３ｂを開くと、ピストン６０は左方向に移動し、ポンプ室８６内の水が流路９０から制御弁９３ｂを経て、給水ライン３４の下流側へ送液される。従って、前記制御弁９１ａ、９１ｂおよび９３ａ、９３ｂを適宜開閉操作することにより、継続して給水ライン３４に水を流すことができる。
【００６６】
なお、この場合、水流量の値は、ピストン速度計測手段９４を設けて、ピストン速度を計測することにより、逐次演算して求めることができる。そして、この水流量の値によって、逐次図３に示すＢ液制御手段６０およびＡ液制御手段６６の動作すべき速度を演算制御することができる。
【００６７】
次に、前記構成からなる透析液調整手段４０の動作について説明する。図１および図２に示すＢ末溶解手段によって作成されたＢ液がＢ液取出ライン３２より供給されるが、このＢ液の濃度は変化する。またＡ液は、所定濃度に調整されたものが供給される。
【００６８】
そこで、Ｂ液は、Ｂ液濃度測定手段６２により濃度が測定され、この濃度測定値（および水流量）に応じて、所定濃度の透析液が得られるように、Ｂ液制御手段６０およびＡ液制御手段６６の動作速度を調整する。しかるに、Ｂ液の濃度が安定して供給されている間は、水とＢ液とＡ液との混合量比率も変化しないが、Ｂ液の濃度が変化した場合には、逐次Ｂ液の濃度測定値の変化に応じて、Ｂ液制御手段６０を制御すると共に、Ａ液制御手段６６も制御し、水流量に対して所定濃度の透析液となるように、Ｂ液取出ライン３２およびＡ液供給ライン６８を流れるＢ液およびＡ液の各流量を変化させる。
【００６９】
透析液調整手段（その２）
図４は、透析液調整手段の別の実施例を示すものである。なお、説明の便宜上、前記図３に示す実施例と同一の構成部分については同一の参照符号を付して説明する。
【００７０】
すなわち、図４に示す実施例において、Ｂ液取出ライン３２から供給されるＢ液とＡ液供給ライン６６から供給されるＡ液は、混合槽７４に導入される。なお、この場合、Ａ液は、予め計量槽（図示せず）に一定量を計量した後に、混合槽７４に供給するように構成することもできる。また、前記混合槽７４には、制御弁６２を介して給水ライン６４を接続して、給水を行うように構成する。このようにして、混合槽７４内の液位がレベル検出器７５による設定レベルに到達した時点で、制御弁６２を閉じて給水を停止するようにする。従って、この場合、１回の透析液の調整で、混合槽７４のレベル検出器７５により設定される容量分の透析液が調整される。
【００７１】
しかるに、本実施例においては、Ｂ液取出ライン３２にＢ液濃度測定手段６２を設けている。そこで、Ｂ末溶解手段（図１および図２参照）から供給されるＢ液の濃度は変化するが、この場合、透析液の調整毎に所定濃度の透析液を調整するには、調整毎に供給されたＢ液中に溶解された重炭酸ナトリウムの量が一定となるように設定すればよい。
【００７２】
従って、Ｂ液の供給に要する時間は、透析液の調整毎に一定の時間Ｔとする。この時間Ｔの間、Ｂ液濃度測定手段６２の測定値に応じて、逐次Ｂ液制御手段６０を制御し、単位時間ΔＴの間に供給するＢ液の中に含まれた重炭酸ナトリウム量が一定となるように動作させる。すなわち、Ｂ液濃度測定値（例えば電導度）に対して、そのＢ液にどの位の重炭酸ナトリウムを含有しているかは、前もって知ることができ、濃度測定値に対応してＢ液制御手段６０の制御データは、前もって装置に保持させておくことができる。このようにして、Ｂ液濃度測定手段６２による濃度測定値に応じて、前記制御データを使用することにより、殆ど時間遅れなく、Ｂ液制御手段６０を制御することができる。
【００７３】
また、前記混合槽７４の外側部には、ポンプ７６を設けた循環流路７７を配設し、混合槽７４内の液を攪拌しながら透析液濃度を測定する。そして、透析液濃度が正常濃度であることが確認されれば、前記循環流路７７の一部より制御弁７８を介して導出される排出流路７２により透析液貯槽７０に移送して貯留し、貯留した透析液を多人数の透析装置に対して適宜供給し得るように構成する。
【００７４】
以上、本発明の好適な実施例について説明したが、本発明は前述した実施例に限定されることなく、本発明の精神を逸脱しない範囲内において種々の設計変更をなし得ることは勿論である。
【００７５】
例えば、図１および図２に示す実施例において、Ｂ液取出ライン３２を分岐することにより、Ｂ末溶解手段から複数の透析液調整手段４０にＢ液の供給を行うように構成することができる。
【００７６】
また、従来のように、Ｂ末溶解手段と透析液調整手段４０とを別ユニットとして構成した場合、透析施設で必ず両ユニットが近くに配置されるものではなく、従って、必要に応じて、図１およひ図２に示すＢ液取出ライン３２にポンプ手段を設けたり、断熱処理を施すことが好ましい。
【００７７】
さらに、クリーンなＢ液の供給を目的として、本発明のＢ末溶解手段に、洗浄および消毒機能の追加、殺菌灯の設置、除菌を目的としたフィルタの設置等は容易に実施することができる。
【００７８】
溶解槽１０へのＢ末投入は、粉体フィーダ等で行うことも可能であるが、簡便には人手によりＢ末の投入作業を行うこともできる。すなわち、投入するＢ末は、特に計量して投入する必要はない上に、透析中においても、追加投入することができるので、Ｂ末の投入作業は、煩わしい作業ではなく、人手によりこの作業を行うことに支障はない。また、この場合、Ｂ末の追加投入が必要であることを報知する機能を持つように構成することが好ましい。
【００７９】
すなわち、溶解槽１０内のＢ末が残り少なくなった時には、追加給水の結果、透析液調整手段４０に送液されるＢ液の濃度は低下する。その結果、Ｂ液濃度測定手段６２の測定値は低下する。この測定値が、設定濃度（通常、透析液調整に支障のない範囲で薄い濃度）以下になった時、ブザーまたは表示機能を有する警報手段により報知するように構成する。この場合、さらに追加給水をしないように構成することもできる。この警報報知により、人手により必要に応じてＢ末を追加投入すればよい。
【００８０】
また、Ｂ末溶解手段に、適宜別のＢ液濃度測定手段を設け、このＢ液濃度測定手段の測定値によって、前記報知を行ってもよい。
【００８１】
このようにして、本発明におけるＢ末溶解手段では、溶解槽１０に随時Ｂ末を追加投入することにより、長時間に亘り多量のＢ液を透析液調整手段４０に供給し、透析液の円滑な調整を行うことが可能である。
【００８２】
図３および図４に示す透析液調整手段の実施例において、Ａ液は所定濃度に調整されたものが供給される場合について説明したが、Ａ液濃度も変化する場合については、次のように操作することもできる。
【００８３】
例えば、Ａ剤として、粉末（あるいは顆粒剤）のもの（Ａ末）を、透析設備において溶解してＡ液とする場合、Ａ剤は複数の主に電解質化合物を含んだ組成であるので、Ａ液の調整は、所定量の水に所定量のＡ末を溶解して行われるのが通常である。なお、水あるいはＡ末の計量間違い等により、必ずしもＡ液の調整毎に所定濃度にならない場合がある。
【００８４】
一方、Ａ液の濃度が変化する場合には、図３および図４に示すＡ液供給ライン６８に、適宜Ａ液濃度測定手段を設ける。そして、このＡ液濃度測定手段による測定値の変化とＢ液濃度測定値の変化とに応じて、所定濃度の透析液となるように、逐次Ｂ液制御手段６０およびＡ液制御手段６６を制御するように構成することができる。
【００８５】
【発明の効果】
前述した実施例から明らかなように、本発明によれば、重炭酸ナトリウム粉末と水とを導入してこれらを攪拌混合し、未溶解の重炭酸ナトリウム溶液がフィルタ上にある状態でフィルタを介して画室に所要濃度の重炭酸ナトリウム液を得るように構成した溶解槽と、前記溶解槽に連通接続する制御弁を備えた給水手段と、前記溶解槽の画室と連通接続されて未溶解の重炭酸ナトリウム溶液が溶解槽のフィルタ上にある状態のまま、フィルタ下部に存在する重炭酸ナトリウム濃厚液を直接透析液調整部へ送り出すための重炭酸ナトリウム液取出手段と、前記重炭酸ナトリウム液取出手段と連通接続されることにより直接所要濃度の重炭酸ナトリウム液が送られる透析液調整手段とから構成することにより、溶解槽において重炭酸ナトリウム粉末と水とを供給して所要濃度の重炭酸ナトリウム液を作成し、この重炭酸ナトリウム液を随時希釈して所定濃度の重炭酸ナトリウム溶液を得ることにより、小型の設備により多量の重炭酸ナトリウム溶液の供給を可能とし、しかも透析中においても溶解槽における重炭酸ナトリウム液の追加作成を簡便に達成することができる多人数用重炭酸透析液調整装置を得ることができる。
【００８６】
本発明の多人数用重炭酸透析液調整装置によれば、随時Ｂ末を溶解槽に追加投入することにより、長時間に亘り多量のＢ末を溶解し、Ｂ液を調整して、少なくとも１台の透析液調整装置にＢ液を円滑に供給することができる。
【００８７】
さらに、透析開始前に、透析中に消費が予想されるＢ液に相当するＢ末を計量する必要はなく、適当量投入することができる上に、透析中においても随時Ｂ末の追加投入が可能である。
【００８８】
従って、本発明装置においては、人手によりＢ末を溶解槽に投入することは、煩わしい作業ではなく、しかもＢ液が占める割合は小さいので、従来の多人数透析液供給装置へＢ液を供給するＢ末溶解手段と比較して、小型に構成し得ると共に、その調整作業も簡便に達成することができる。すなわち、溶解槽では、Ｂ液を調整するのではなく、透析中において溶解槽内はＢ末と所要濃度のＢ液となるように構成すると共に、常に溶解槽に準備されているＢ液を随時希釈して所定濃度のＢ液を調整することができるので、Ｂ液を貯えておくための大きな貯槽を必要とせず、小型で多量のＢ液の供給が可能となる。
【００８９】
本発明装置は、バッチ方式によりＢ末の溶解およびＢ液の調整を繰り返して行う構成としたものと比較して、構造および操作が簡単となり、小型で多量の透析液の供給が可能となる利点を有する。
【図面の簡単な説明】
【図１】本発明に係る多人数用重炭酸透析液調整装置の一実施例を示す概略系統図である。
【図２】本発明に係る多人数用重炭酸透析液調整装置の別の実施例を示す概略系統図である。
【図３】本発明に係る多人数用重炭酸透析液調整装置に適用する透析液調整手段の一実施例を示す概略系統図である。
【図４】本発明に係る多人数用重炭酸透析液調整装置に適用する透析液調整手段の別の実施例を示す概略系統図である。
【図５】図２に示す多人数用重炭酸透析液調整装置における吐出手段の構成例を示す要部拡大断面図である。
【図６】図３に示す透析液調整手段における水制御手段の構成例を示す要部拡大断面説明図である。
【符号の説明】
１０  溶解槽
１２  開口部
１４  給水源
１６  給水ライン
１８  制御弁
２０ａ  上限レベル検出器
２０ｂ  下限レベル検出器
２２  攪拌手段
２４  フィルタ
２６  画室
２８  脱ガス手段
３０  排気ライン
３２  液取出ライン
３４  給水ライン
３５  合流点
３６  分岐給水ライン
３７  合流点
３８ａ  上限レベル検出器
３８ｂ  下限レベル検出器
３９  制御弁
４０  透析液調整手段
４２  ポンプ
４４  吐出ライン
４６  吐出手段
４８  吐出管
５０  集液室
５１  通孔
５２  ロータ
５３  ストッパ
５４  噴射パイプ
５５  噴射孔
６０  Ｂ液制御手段
６２  濃度測定手段
６４  水制御手段
６６  Ａ液制御手段
６８  Ａ液供給ライン
７０  貯槽
７１ａ  上限レベル検出器
７１ｂ  下限レベル検出器
７２  排出流路
７４  混合槽
７５  レベル検出器
７６  ポンプ
７７  循環流路
７８  制御弁
８０  シリンダ
８２  ピストン
８３  シール
８４  ピストンロッド
８５  シール
８６、８８  ポンプ室
９０、９２  流路
９１ａ、９１ｂ  制御弁
９３ａ、９３ｂ  制御弁
９４  ピストン速度計測手段
【図１】
0003669738.tif 000002
【図２】
0003669738.tif 000003
【図３】
0003669738.tif 000004
【図４】
0003669738.tif 000005
【図５】
0003669738.tif 000006
【図６】
0003669738.tif 000007